(57)【要約】  補助ゲームを有する抽選ゲームを提供する。プレーヤーは複数の番号を選択することによって抽選ゲームを行う。また、プレーヤーは補助ゲームを行う選択を有している。抽選を操る側(lottery authority)は抽選ゲームのための一組の勝利番号を選択し、且つ一組の補助番号を選択する。プレーヤーが補助ゲームを行う選択をしたならば、彼の番号は勝利番号のみならず、補助番号とも比較されるだろう。プレーヤーの番号並びに、勝利番号及び補助番号との間の一致の総数が、プレーヤーの賞金を決定する。【選択図】図１ｂ
2008526439.tif 000002
【特許請求の範囲】
【請求項１】
抽選ゲームを行う方法であって、
複数の第１ゲームしるし(indicia)をプレーヤーから受信し、
前記プレーヤーから補足的な選択のしるしを受信し、
複数の第２ゲームしるし(indicia)を取得し、
複数の補足的なゲームしるし(indicia)を取得し、
前記複数の第１ゲームしるしと、前記複数の第２ゲームしるしとの間の第１の一致数を決定し、
前記第１の一致数及び前記補足的な選択のしるしに従って一致の総数を決定し、
前記一致の総数に基づき賞金を付与する、
ステップを含む方法。
【請求項２】
前記複数の第１ゲームしるしが複数の組から選択され、当該複数の第１ゲームしるしのうちの１つのゲームしるしは前記複数の組のそれぞれから選択され、
前記複数の第２ゲームしるしが前記複数の組から選択され、当該複数の第２ゲームしるしのうちの１つのゲームしるしは前記複数の組のそれぞれから選択され、
前記複数の補足的なゲームしるしが前記複数の組から選択され、当該複数の補足的なゲームしるしのうちの１つのゲームしるしは前記複数の組のそれぞれから選択される、請求項１に記載の方法。
【請求項３】
前記一致の総数を決定するステップは、更に、
前記補足的な選択のしるしが少なくとも１つの追加数の選択を示す場合、前記複数の第１ゲームしるしと、前記複数の補足的なゲームしるしとの間の第２の一致数を決定する処理と、
前記第１の一致数に前記第２の一致数を加えることによって前記一致の総数決定する処理を含む、請求項１に記載の方法。
【請求項４】
前記補足的な選択のしるしによって決まる賭け金を受信するステップを更に含む、請求項１に記載の方法。
【請求項５】
前記補足的な選択のしるしが少なくとも１つの追加数を示す場合に、前記賭け金が増加する、請求項４に記載の方法。
【請求項６】
前記一致の総数に従って賞金を決定するステップを更に含む請求項１に記載の方法。
【請求項７】
前記複数の第２ゲームしるしを取得するステップは、前記複数の第２のゲームしるしをサードパーティから取得する処理を更に含む請求項１に記載の方法。
【請求項８】
前記複数の第２ゲームしるしを取得するステップは、前記複数の第２のゲームしるしを乱数発生器から発生させる処理を更に含む請求項１に記載の方法。
【請求項９】
抽選ゲームを行うシステムであって、
通信ネットワークと、
前記通信ネットワークと通信する少なくとも１つのゲーム機と、
前記通信ネットワークを通じて少なくとも１つのゲーム機と通信するサーバーであって、抽選ゲームを主催し、且つ、
前記少なくとも１つのゲーム機から複数の第１ゲームしるし(indicia)を受信し、
前記少なくとも１つのゲーム機から補足的な選択のしるしを受信し、
複数の第２ゲームしるしを取得し、
複数の補足的なゲームしるしを取得し、
前記複数の第１ゲームしるしと、前記複数の第２ゲームしるしとの間の第１の一致数を決定し、
前記第１の一致数及び前記補足的な選択のしるしに従って一致の総数を決定し、
前記一致の総数に基づき賞金を付与する、ことが実行できる当該サーバーと、
を備えたシステム。
【請求項１０】
前記複数の第１ゲームしるしが複数の組から選択され、当該複数の第１ゲームしるしのうちの１つのゲームしるしは前記複数の組のそれぞれから選択され、
前記複数の第２ゲームしるしが前記複数の組から選択され、当該複数の第２ゲームしるしのうちの１つのゲームしるしは前記複数の組のそれぞれから選択され、
前記複数の補足的なゲームしるしが前記複数の組から選択され、当該複数の補足的なゲームしるしのうちの１つのゲームしるしは前記複数の組のそれぞれから選択される、請求項９に記載のシステム。
【請求項１１】
前記サーバーは、前記補足的な選択のしるしによって決まる賭け金を受信することができる、請求項９に記載のシステム。
【請求項１２】
前記補足的な選択のしるしが少なくとも１つの追加数を示す場合に、前記賭け金が増加する、請求項１１に記載のシステム。
【請求項１３】
前記ゲーム機は、前記複数の第１ゲームしるし及び前記補足的な選択のしるしへの情報を包含するチケットを前記プレーヤーに発行する、請求項９に記載のシステム。
【請求項１４】
前記サーバーは、前記一致の総数に従って賞金を決定する請求項９に記載のシステム。
【請求項１５】
前記サーバーは、前記複数の第２ゲームしるしをサードパーティから取得する請求項９に記載のシステム。
【請求項１６】
前記サーバーは、前記複数の第２のゲームしるしを乱数発生器から発生する請求項９に記載のシステム。
【請求項１７】
抽選ゲームを行うシステムであって、
通信ネットワーク手段と、
前記通信ネットワーク手段と通信して前記抽選ゲームを実施する手段と、
前記通信ネットワーク手段を通じて前記抽選ゲームを実施する手段と通信するサーバーであって、抽選ゲームを主催し、且つ、
前記抽選ゲームを実施する手段から複数の第１ゲームしるし(indicia)を受信し、
前記抽選ゲームを実施する手段から補足的な選択のしるしを受信し、
複数の第２ゲームしるしを取得し、
複数の補足的なゲームしるしを取得し、
前記複数の第１ゲームしるしと、前記複数の第２ゲームしるしとの間の第１の一致数を決定し、
前記第１の一致数及び前記補足的な選択のしるしに従って一致の総数を決定し、
前記一致の総数に基づき賞金を付与する、ことが実行できる当該サーバーと、
を備えたシステム。
【発明の詳細な説明】
【技術分野】
【０００１】
本発明は、概して言えば抽選ゲームを実行するシステム及び方法に関係し、より詳しくは、補足的なしるし(indicia)が抽選され、ゲームを行うに際し要求される最低額よりも多く賭けたプレーヤーにのみ利用できるという抽選ゲームに関する。
（関連出願）
本願は２００５年１月１１日に出願された「On-line Lottery Game In Which Supplemental Lottery-selected Indicia Are Available For Purchase」という表題の米国仮出願60/642,960の明細書が、引用としてここにその全体を組み入れられ、その利益を主張する。
【背景技術】
【０００２】
多くの政府及び/又は賭けゲームのゲーム機構のスポンサーは、宝くじ(lottery)として知られている。典型的な宝くじゲームは、番号の置換又は組み合わせを選択するプレーヤーを必要とする。“抽選（引き当て）”が行われるが、宝くじ主催者側は番号の付いた球の組み合わせ又は置換をランダムに選択する。賞金は、プレーヤーの選択と引き当てられた番号との間で一致した数に基づいて付与される。引き当てられた番号はあまねく公表され、数百万ドルの大当たりの宝くじは全世界中で人気がある。
【０００３】
宝くじは政府の重要な収入源になっている。というのも、教育や他のプログラムのための財政的負担の多くを肩がわりするからである。しかしながら、政府が宝くじへの依存が大きくなるにつれ、セールス、特にオンラインゲーム、即ちプレーヤーが選択したしるし(indicia)が端末から中央システムを通じて送信され、そして、引き続いて宝くじ主催者側が選択したしるしと比較して、プレーヤーが賞金を勝ち取れるかどうかを決定するゲームを増加することが課題になってきた。オンライン引き当てゲームのための宝くじセールスを活発にする１つのアプローチは、プレーヤーがゲームを行うのに要求される最低額を超えた追加の金を賭ける機会をもつゲームを提供することである。言い換えると、これは、追加の賭け金が付加価値をもたらすことをプレーヤーに対して容易に明らかにする方法でゲームが構成されることを要求する。したがって、最低金額を賭けたプレーヤーがしばしば良い結果を出して大きな賭け金を作り得ることを具体的に分かる体験をもつことが宝くじゲームに必要である。
【発明の開示】
【課題を解決するための手段】
【０００４】
簡単に言うと、本発明は補足的なゲームを伴う抽選（つまり宝くじ）ゲームを開示する。プレーヤーは一組の番号を選択することによって抽選ゲームを行い、そして補足的なゲームを行うことを選択することもできる。抽選ゲームの勝ち番号は、一組の補足番号と一緒に引き当てられる。プレーヤーは自分の選択した番号がロッテリーゲームの勝ち番号と一致することによって抽選ゲームに勝つことができる。また、プレーヤーは、補足的なゲームを行うことを選択する場合は、自分の選択した番号が補足的な番号と一致することによって勝つ機会を増加させることができる。
【０００５】
一実施例では、本発明はプレーヤーが一組のしるし(indicia)から複数のしるしを選び、賞金額を決定するために、抽選ゲーム側(抽選ゲーム機器)によって引き当てられる複数のしるしのいくつがプレーヤーの選択したしるしと比較されるかを選ぶ抽選ゲームを含む。この場合、賭け金の量及び賞金の大きさは、抽選ゲーム側の選択したしるしのいくつがプレーヤーの選択したしるしと一致するかというプレーヤーの選択によって決まる。
【０００６】
一実施例では、抽選ゲームを行う方法を提供する。本方法は、複数の組から選択された複数の第１ゲームしるしを受信し、補足的な選択のしるしを受信し、前記複数の組から選択された複数の第２ゲームしるしを受信し、前記複数の組から選択された複数の補足的なゲームしるしを受信し、前記複数の第１ゲームしるしと、前記複数の第２ゲームしるしとの間の第１の一致数を決定し、前記第１の一致数及び前記補足的な選択のしるしに従って一致の総数を決定するステップを含む。
【０００７】
別の実施例では、抽選ゲームを行うシステムを提供する。本システムは、通信ネットワークと、前記通信ネットワークと通信する少なくとも１つのゲーム機と、前記通信ネットワークを通じて少なくとも１つのゲーム機と通信するサーバーを含む。このサーバーは、抽選ゲームを主催し、且つ、複数の組から選択した複数の第１ゲームしるし(indicia)を受信し、補足的な選択のしるしを受信し、前記複数の組から選択した複数の第２ゲームしるしを受信し、前記複数の組から選択した複数の補足的なゲームしるしを受信し、前記複数の第１ゲームしるしと前記複数の第２ゲームしるしとの間の第１の一致数を決定し、前記第１の一致数及び前記補足的な選択のしるしに従って一致の総数を決定することができる。
【発明を実施するための最良の形態】
【０００８】
一実施例において、本発明は抽選型ゲームである。つまり、本ゲームは、プレーヤーが複数の組からしるしを選択し、且つ抽選端末を操作する販売業者を通じて、又はセルフサービスの売店を通じて、抽選システムへ賭け金と一緒に彼の選択を提出することを含む。或いはまた、プレーヤーは、抽選システムが彼の代わりに即座の選択オプションとしてしるしを選択することを要求してもよい。これ以降、プレーヤーが自分のしるしを選択することを前提とする。ゲームのための販売が終了した後で、抽選ゲーム側が同一の組からしるしを選ぶという引き当てが行われる。プレーヤーは、自分が選択したしるしと、引き当てで選ばれたしるしとの間の一致の数に基づいて賞金を得ることができる。
【０００９】
抽選ゲーム側によって各組から選択された複数のしるしは、対応の組からプレーヤーによって選択された複数のしるしよりも完全に多い。抽選ゲーム側は、特定の順序で各組からそのしるしを選択する。プレーヤーが選択した複数のしるしを超えて、プレーヤーの選択したしるしとロッテリーによって選択されたしるしを一致させるため、プレーヤーは固定した予定にしたがって加算金を支払わなければならない。それゆえ、プレーヤーのエントリには、要求された額の賭け金とともに、抽選ゲーム側が選択した何個のしるしが、プレーヤーが選択したしるしと一致するべきであるかについての表示を含んでいなければならない。
【００１０】
一実施例を以下に示す。購入時点で、プレーヤーは４つの組｛１,２,…,１５｝,｛１６，１７,…,３０｝,｛３１,３２,…,４５｝,｛４６,４７,…,６０｝のそれぞれから１つの番号を選ぶ。これらの組は、黄色、赤色、青色、緑色にそれぞれ関連する。引き当て（抽選）の時点で、ロッテリーは、これらの各組から２つの異なる番号を順繰りに且つ一度引き当てた番号を戻すことなく選択していく。これ以降、各組から選択された第１番目の番号を“主番号”と称し、各組から選択された第２番目の番号を“補助番号”と称することとする。プレーヤーは、１ドルの基本賭け金で、彼の番号が抽選ゲーム側によって選択された主番号と一致するかもしれない。また、３ドルの賭け金で、彼の番号が主番号のみならず彼の選択した２つの補助番号とも一致するかもしれない。さらにまた、５ドルの賭け金で、抽選ゲーム側が選択した番号の、それは主番号又は補助番号であるが、いずれかと一致するかもしれない。プレーヤーは、図１ａから１ｃに示されるプレイ紙片に記入することによって自分の意思を表す。以下これを説明する。
【００１１】
図１ａはプレイ紙片１００を示す。プレイ紙片１００の上部は４つの欄を含み、それらは、プレーヤー及び抽選ゲーム側が選ぶであろう４つの組の番号に対応する。これらの欄は組毎に色でラベル付けされる。プレーヤーは、各欄で１つの番号を正確に印し、自分の選択を示すようにする。彼は、賭け金として１ドル、３ドル、５ドルを印す。
【００１２】
図１ａのプレイ紙片１００は、プレーヤーが、番号として１１,２３,４４,５０を選択し、１ドルを賭けたことを示している。これは、プレーヤーが１ドルを作るのに要求される情報の全てである。図２ａは、図１ａで示されるようなプレイ紙片１００に記入することの結果として、プレーヤーの発行されるチケット２００を示したものである。このチケットはプレーヤーの選択を一覧にしたものであり、且つそのプレーヤーが自分の番号が補助番号の何れかに一致させる上での資格がないことを示している。
【００１３】
図１ｂは、１１,２３,４４,５０の番号を選択し、３ドルを賭けたプレーヤーのプレイ紙片１５０を示している。３ドルの賭け金は、プレーヤーに自分の番号が主番号及びまさしく２つの補助番号と一致させるための資格を与えるので、プレーヤーは、どの補助番号が使用したいのかを示さなければならない。黄色、赤色、青色、緑色のまさに１つの補助番号があるので、プレーヤーはこれらの色から２つを選択すれば充分である。この場合、プレーヤーは赤色及び青色を選択した。図２ｂは、図１ｂで示されるようなプレイ紙片１５０に記入することの結果として、プレーヤーの発行されるチケット２５０を示したものである。このチケット２５０はプレーヤーの選択を一覧にしたものであり、且つそのプレーヤーが自分の番号が赤色及び青色の補助番号に一致させる資格があることを示している。
【００１４】
図１ｃは、１１,２３,４４,５０の番号を選択し、５ドルを賭けたプレーヤーのプレイ紙片１８０を示している。これは、プレーヤーが５ドルを作るのに要求される情報の全てである。図２ｃは、図１ｃで示されるようなプレイ紙片１８０に記入することの結果として、プレーヤーの発行されるチケット２８０を示したものである。このチケットはプレーヤーの選択を一覧にしたものであり、且つそのプレーヤーが自分の番号が補助番号の何れかに一致させる資格があることを示している。
【００１５】
或いはまた、プレーヤーは、抽選端末を操作する小売業者に対して言葉で、又は中央サーバーに接続するセルフサービス売店のインタフェース又はコンピュータ端末を使用することによって、自分の意志を表すようにしてもよい。プレーヤーの番号選択は、３ドルの賭け金の場合において補助番号の色と同様、当業者でよく知られた技術を用いた抽選端末によってランダムに選択されることができる。
【００１６】
図３は、本実施例で可能のある賞金テーブル３００を示している。我々は上述した３つのゲームエントリそれぞれを評価することによってテーブル３００の使用方法を実演することができる。抽選ゲーム側が主番号として１１,２９,４０,５４、補助番号として９，２３，３６，５０を選択したと仮定する。この場合、図２ａのチケットは、１つの一致１１を認める。したがって、このチケットは１ドルの賞金を勝ち取ることになる。
【００１７】
同様の抽選番号の選択を与える場合、図２ｂのチケットは、２つの一致１１及び２３を認める。なぜなら、プレーヤーの選択した番号は主番号のみならず、赤色及び青色の補助番号とも一致するからである。したがって、このチケットは１０ドルの賞金を勝ち取ることになる。
【００１８】
同様の抽選番号の選択を与える場合、図２ｃのチケットは、３つの一致１１,２３,５０を認める。なぜなら、プレーヤーの選択した番号は主番号のみならず、補助番号の何れかと一致するからである。したがって、このチケットは５０ドルの賞金を勝ち取ることになる。
【００１９】
別の実施例では、プレーヤーは、巨大な集合の番号から所定の番号を選ぶことができるようにしてもよい。例えば、プレーヤーは１〜５０の番号の組から｛２，５，６，２０，３５｝を選択する。抽選を操る側(lottery authority)は、一組の勝利番号及び一組の補助番号を、同様の番号の組から選ぶだろう。例えば、勝利番号が｛７，８，９，２０，４０｝で、補助番号が｛２，１１，２１，３５，４９｝である。プレーヤーは、いくつの補助番号を実施させたいかを示すことによって補助ゲームを行う。プレーヤーが１つの補助番号を実施する場合、彼の５個の番号が、５個の勝利番号＋１個の補助番号と比較されるだろう。上述した番号による実施例では、プレーヤーは１つの勝利番号２０に一致する。プレーヤーが１つの補助番号を実施する場合、そのプレーヤーは２つの番号｛２０，２｝又は｛２０，３５｝と一致するだろう。プレーヤーが２つの補助番号を実施する場合、彼は３つの番号｛２０，２，３５｝と一致するだろう。
【００２０】
本発明は、スタンドアローン型ゲームマシーン又はゲームサーバー上で実行され得る。スタンドアローン型ゲーム機は表示ユニットと、プレーヤーの選択を含むプレイ紙片をスキャンするためのスキャニングユニット（プレーヤーの入力機器として知られている）と、プレーヤーにチケットを発行するためのチケット発行ユニットと、を含む。ゲーム機は、プレーヤーの即時の選択を可能にする乱数発生器を有するコントローラを備える。そのコントローラは、スキャニングユニットからプレーヤーの賭けを受取り、当該プレーヤーにチケットを発行する。このチケットの発行後、コントローラは一組の勝利番号と一組の補助番号を発生させ、そして上述したようにプレーヤーのチケットに関する一致数を決定する。ゲーム機は図４に示すようなゲームサーバーと接続されていてもよい。ゲーム機４０２は、通信ネットワーク４０４を介してサーバー４０６と接続される。図４に示す実施例の場合、各ゲーム機はプレーヤーから賭け金及び選択を受取り、この賭け情報をサーバー４０６に渡して、そしてチケットをプレーヤーに発行する。サーバー４０６は、プレーヤーの選択を受信し、抽選を操る側(lottery authority)によって選択された番号に基づいて勝者を決定する。
【００２１】
図５は、ゲームサーバー処理に関するフローチャート５００の一例を示している。プレーヤーは一組の番号を選択することによって、抽選ゲーム上での賭けを配置することができる。そしてプレーヤーは、補助ゲームでの参加によって彼の勝利のチャンスを増加したいか否かを示すことができる。プレーヤーは、この抽選ゲームを、通信ネットワークを介して抽選サーバーと接続されたスタンドアローン型抽選ステーション又はコンピュータ端末で行うことができる。プレーヤーの賭け情報及びゲームの選択は、ステップ５０２で抽選サーバーによって受信され、ステップ５０４で抽選サーバーはその受信された情報を記録する。
【００２２】
所定の時間に、抽選を操る側(lottery authority)は勝利番号の引き当て（抽選）を開始する。勝利番号を引き当てることに加えて、抽選を操る側は一組の補助番号を引き当てる。或いはまた、勝利番号及び補助番号を乱数発生器によって自動的に発生させたり、第三者機関によって手作業で引き当てることができる。ステップ５０６で、勝利番号及び補助番号の両方が抽選サーバーに提供される。或いはまた、抽選サーバー又はスタンドアローン型抽選ステーションによって勝利番号及び補助番号をランダムに発生させることができる。勝利番号及び補助番号が決定された後、抽選サーバーは、プレーヤーが選択した番号と勝利番号との間の一致数を決定する（ステップ５０８）。また抽選サーバーは、プレーヤーが補助番号を購入していたかどうかをチェックする（ステップ５１０）。プレーヤーが補助ゲームを行うことを選択していた場合、プレーヤーの番号は、抽選サーバーによって受信された補助番号と比較される（ステップ５１２）。最後に、抽選サーバーは、プレーヤーのチケットに関する一致の総数を決定し、そして賞金テーブル内に一致の総数がリストされていれば、そのプレーヤーは賞金を勝ち取る。
【００２３】
図５の内容において、例えば、マシーンによる読み出し可能な一連の命令を実行するコンピュータを操作することによって本方法が実現されるようにしてもよい。この命令は、様々なタイプの信号担持媒体(signal-bearing media)又は１次、２次、若しくは３次のデータ記憶媒体に存在することができる。例えば、この媒体は、無線ネットワークの構成要素によってアクセス可能な、或いはその中に存在するＲＡＭ（図示せず）を含んでいてもよい。ＲＡＭ、ディスケット(diskette)、或いは他の２次的記憶媒体であろうとなかろうと、その命令は様々なＤＡＳＤ記憶装置（例えば、従来の“ハードディスクドライブ”やＲＡＩＤアレイ）、磁気テープ、電気的読み出し専用メモリ(例えば、ＲＯＭ，ＥＰＲＯＭ，ＥＥＰＲＯＭ）、フラッシュメモリカード、光記憶デバイス（例えば、ＣＤ−ＲＯＭ，ＷＯＲＭ，ＤＶＤ，デジタル光テープ）、紙パンチカード、又はデジタル及びアナログ通信媒体を含む適切な他のデータ記憶媒体などのマシーン可読データ記憶媒体に記憶されうる。
【００２４】
本発明は、その一実施例を参照して示され且つ述べられてきたが、当業者であれば、特許請求の範囲に述べた本発明の精神及び判から乖離することなく、多くの変更及び詳細がなされることを想到できるであろう。また、図５の方法はシーケンシャルステップを示したものであるが、当業者であればこれとは異なるシーケンスも本発明を実施するのに用いられ得ることを理解できるであろう。更に、本発明の要素は単数で述べられ且つ特許請求されているかもしれないが、単数が明示的に述べられているという制限がない限り、複数の場合も意図したものである。
【図面の簡単な説明】
【００２５】
【図１ａ】本発明の抽選ゲームプレイ紙片の実施例である。
【図１ｂ】本発明の抽選ゲームプレイ紙片の実施例である。
【図１ｃ】本発明の抽選ゲームプレイ紙片の実施例である。
【図２ａ】本発明の抽選ゲームチケットの実施例である。
【図２ｂ】本発明の抽選ゲームチケットの実施例である。
【図２ｃ】本発明の抽選ゲームチケットの実施例である。
【図３】本発明の抽選ゲーム賞金テーブルの一実施例である。
【図４】本発明をサポートするネットワーク・アーキテクチャの一実施例である。
【図５】抽選サーバーの一実施例である。
【図１ａ】
2008526439.tif 000003
【図１ｂ】
2008526439.tif 000004
【図１ｃ】
2008526439.tif 000005
【図２ａ】
2008526439.tif 000006
【図２ｂ】
2008526439.tif 000007
【図２ｃ】
2008526439.tif 000008
【図３】
2008526439.tif 000009
【図４】
2008526439.tif 000010
【図５】
2008526439.tif 000011
【国際調査報告】
2008526439.tif 000012